(57)【要約】  検知部（１２０）が、表示領域（１１０−１），（１１０−２）への接触を検知し、検知部（１２０）が検知した接触の開始の位置と終了の位置とが、互いに異なる表示領域（１１０−１），（１１０−２）に含まれる場合、制御部（１３０）が、検知部（１２０）が接触の開始を検知した位置に対応する位置に表示されている第１の情報に関連する第２の情報を、検知部（１２０）が接触の終了を検知した位置に対応する位置に表示させる。
2013046935.tif 000002
【特許請求の範囲】
【請求項１】
互いに隣接する複数の表示領域と、
前記表示領域への接触を検知する検知部と、
前記検知部が検知した接触の開始の位置と終了の位置とが、互いに異なる表示領域に含まれる場合、前記検知部が接触の開始を検知した位置に対応する位置に表示されている第１の情報に関連する第２の情報を、前記検知部が前記接触の終了を検知した位置に対応する位置に表示させる制御部とを有する表示装置。
【請求項２】
請求項１に記載の表示装置において、
前記制御部は、前記検知部が前記接触の終了を検知した表示領域に前記第２の情報として地図を表示させる際、前記第１の情報に関連する地図上の位置が、前記接触の終了を検知した位置に対応する位置になるように前記地図を表示させることを特徴とする表示装置。
【請求項３】
請求項１に記載の表示装置において、
前記制御部は、前記検知部が検知した接触の開始の位置と終了の位置とが、それぞれ２点である場合、前記検知部が前記接触の開始を検知した２点に対応する位置に表示された情報の互いの関係を示す情報を、前記検知部が前記接触の終了を検知した位置に対応する位置に表示させることを特徴とする表示装置。
【請求項４】
請求項３に記載の表示装置において、
前記制御部は、前記検知部が前記接触の終了を検知した表示領域に前記第２の情報として地図を表示させる際、前記検知部が前記接触の開始を検知した２点に対応する位置に表示されたそれぞれの情報に関連する地図上のそれぞれの表示位置が、前記検知部が前記接触の終了を検知した２点の位置に対応する位置になるように前記地図を表示させることを特徴とする表示装置。
【請求項５】
請求項１から４のいずれか１項に記載の表示装置において、
前記第１の情報と、前記第２の情報とを対応付けて記憶する記憶部を有し、
前記制御部は、前記第１の情報に関連する情報として、該第１の情報と対応付けられて記憶されている第２の情報を前記記憶部から読み出して、前記第２の情報を表示させることを特徴とする表示装置。
【請求項６】
互いに隣接する複数の表示領域への接触を検知する処理と、
前記検知した接触の開始の位置と終了の位置とが、互いに異なる表示領域に含まれる場合、前記接触の開始を検知した位置に対応する位置に表示されている第１の情報に関連する第２の情報を、前記接触の終了を検知した位置に対応する位置に表示させる処理とを行う表示方法。
【請求項７】
互いに隣接する複数の表示領域を具備する表示装置に、
前記表示領域への接触を検知する手順と、
前記検知した接触の開始の位置と終了の位置とが、互いに異なる表示領域に含まれる場合、前記接触の開始を検知した位置に対応する位置に表示されている第１の情報に関連する第２の情報を、前記接触の終了を検知した位置に対応する位置に表示させる手順とを実行させるためのプログラム。
【発明の詳細な説明】
【技術分野】
【０００１】
本発明は、情報を表示する表示装置、表示方法およびプログラムに関する。
【背景技術】
【０００２】
近年、情報を表示するディスプレイが搭載された電子機器（以下、表示装置と称する）には、多種多様な情報が表示される。このような表示装置の中には、複数の薄い表示媒体から構成され、書籍のように利用することができるものも考えられている（例えば、特許文献１参照。）。
【先行技術文献】
【特許文献】
【０００３】
【特許文献１】特開２００３−５８０８１号公報
【発明の概要】
【発明が解決しようとする課題】
【０００４】
しかしながら、上述した技術においては、ディスプレイに表示された情報に関連する情報を見るには、検索用サイト等に接続してその情報を検索キーとして入力・検索して表示させたり、他の表示媒体に表示されている情報を手動・目視で探したりしなければならない。そのため、その手間がかかってしまうという問題点がある。【０００５】
本発明の目的は、上述した課題を解決する表示装置、表示方法およびプログラムを提供することである。
【課題を解決するための手段】
【０００６】
本発明の表示装置は、
互いに隣接する複数の表示領域と、
前記表示領域への接触を検知する検知部と、
前記検知部が検知した接触の開始の位置と終了の位置とが、互いに異なる表示領域に含まれる場合、前記検知部が接触の開始を検知した位置に対応する位置に表示されている第１の情報に関連する第２の情報を、前記検知部が前記接触の終了を検知した位置に対応する位置に表示させる制御部とを有する。【０００７】
また、本発明の表示方法は、
互いに隣接する複数の表示領域への接触を検知する処理と、
前記検知した接触の開始の位置と終了の位置とが、互いに異なる表示領域に含まれる場合、前記接触の開始を検知した位置に対応する位置に表示されている第１の情報に関連する第２の情報を、前記接触の終了を検知した位置に対応する位置に表示させる処理とを行う。【０００８】
また、本発明のプログラムは、
互いに隣接する複数の表示領域を具備する表示装置に実行させるためのプログラムであって、
前記表示領域への接触を検知する手順と、
前記検知した接触の開始の位置と終了の位置とが、互いに異なる表示領域に含まれる場合、前記接触の開始を検知した位置に対応する位置に表示されている第１の情報に関連する第２の情報を、前記接触の終了を検知した位置に対応する位置に表示させる手順とを実行させる。
【発明の効果】
【０００９】
以上説明したように、本発明においては、表示されている情報に関連する情報を容易に表示させることができる。
【図面の簡単な説明】
【００１０】
【図１】本発明の表示装置の第１の実施の形態を示す図である。
【図２】図１に示した記憶部に記憶されている第１の情報と第２の情報との対応付けの一例を示す図である。
【図３】図１に示した表示装置の外観の第１の例を示す図である。
【図４】図１に示した表示装置の外観の第２の例を示す図である。
【図５】図１に示した表示装置における表示方法を説明するためのフローチャートである。
【図６】図１に示した検知部が表示領域への接触の開始を検知したときの様子の一例を示す図である。
【図７】図１に示した検知部が表示領域にて接触の終了を検知したときの様子の一例を示す図である。
【図８】図１に示した表示領域に２つの情報が表示されている様子の一例を示す図である。
【図９】図１に示した検知部が表示領域への２点の接触の開始を検知したときの様子の一例を示す図である。
【図１０】図１に示した検知部が表示領域にて２点の接触の終了を検知したときの様子の一例を示す図である。
【図１１】本発明の表示装置の第２の実施の形態を示す図である。
【図１２】図１１に示した表示装置における表示方法を説明するためのフローチャートである。
【発明を実施するための形態】
【００１１】
以下に、本発明の実施の形態について図面を参照して説明する。
【００１２】
図１は、本発明の表示装置の第１の実施の形態を示す図である。
【００１３】
本形態における表示装置１００には図１に示すように、複数の表示領域１１０−１，１１０−２と、検知部１２０と、制御部１３０と、記憶部１４０とが設けられている。なお、図１においては、表示装置１００が具備する構成要素のうち、本発明に関わるもののみを示した。また、図１において、表示領域が２つである場合を例に挙げて示しているが、３つ以上であっても良い。
【００１４】
表示領域１１０−１，１１０−２は、画像や文字（テキスト）等の情報を表示する。また、表示領域１１０−１，１１０−２は、物理的に１つのディプレイ上に配置される領域であっても良い。また、表示領域１１０−１，１１０−２は、互いに物理的に分離されているものであっても良い。ただし、表示領域１１０−１，１１０−２は、互いに隣接して配置される。ここでの「隣接」とは、表示領域１１０−１と表示領域１１０−２とが完全に接触しているもののみではなく、表示領域１１０−１と表示領域１１０−２とが並んでおり、それらの間に、所定の幅の隙間があるものも含む。
【００１５】
検知部１２０は、表示領域１１０−１，１１０−２への指等の物体の接触や接近を検知する。
【００１６】
制御部１３０は、情報を表示領域１１０−１，１１０−２に表示させる。また、制御部１３０は、検知部１２０が検知したそれぞれの表示領域上の接触領域や、接近領域の位置変化に基づいて、その領域の変化が各表示領域を超えた連続性のある領域移動であるかどうかの判断を行う。また、制御部１３０は、表示領域１１０−１，１１０−２の境界を跨ぐ連続性のある操作に基づいたものであると判断した場合、検知部１２０が接触の開始を検知した位置に対応する位置に表示されている第１の情報（テキスト、画像等）に関連する第２の情報（テキスト、画像等）を、検知部１２０が接触の終了を検知した位置に対応する位置に表示させる。つまり、検知部１２０が接触の開始を検知した位置が含まれる表示領域と、検知部１２０がその接触の終了を検知した位置が含まれる表示領域とが異なる場合、制御部１３０は、検知部１２０が接触の開始を検知した位置に対応する位置に（接触の開始を検知した位置に含んで）表示されている第１の情報に関連する第２の情報を、検知部１２０が接触の終了を検知した位置に対応する位置に表示させる。以降、検知部１２０によって接触または近接を開始したと検知した位置を開始位置、その後に連続性を有する操作が各表示領域を超えて行われた後に、接近または近接を終了したと検知した位置を終了位置と称する。このとき、制御部１３０は、第１の情報に関連する第２の情報を、記憶部１４０から読み出して表示させる。
【００１７】
また、制御部１３０は、検知部１２０が検知した終了位置を含む表示領域に第２の情報として地図を表示させる場合、第１の情報に関連する地図上の表示位置が、終了位置上、または当該終了位置周辺領域内に含まれるように地図を表示させる。
【００１８】
また、制御部１３０は、開始位置と終了位置とが、それぞれ２点である場合、それぞれの開始位置である２点の位置上または当該位置周辺に表示された情報の互いの関係を示す情報を、終了位置に対応する位置に表示させる。
【００１９】
この２点に表示された情報の互いの関係を示す情報とは、例えば、２つの開始位置それぞれに、第１の情報として「上野駅」と「東京駅」とが表示されている場合、終了位置を含む表示領域上に表示する情報として、「上野駅」を出発地とし、目的地となる「東京駅」までの電車のルート（乗り換えの案内）を示す情報であっても良いし、「上野駅」と「東京駅」との間を示す地図情報であっても良いし、「上野駅」から「東京駅」までの各交通手段による所要時間を比較する情報であっても良い。また、このとき、制御部１３０は、終了位置を含む表示領域に第２の情報として地図を表示させる場合、開始位置である２点に対応する位置に表示されたそれぞれの情報に関連する地図上のそれぞれの位置が、終了位置である２点の位置に対応する位置にそれぞれなるように地図を表示させる。この詳細については、後述する。
【００２０】
また、互いの関係を示す情報として、ほかには、例えば、検知部１２０が接触を検知した２つの位置それぞれに、「イチロー」を示す情報と「松井秀樹」を示す情報とが表示されている場合、各選手の今年の打率や本塁打数、出場試合数等を比較する情報であっても良い。
【００２１】
ここでは、「イチロー」を示す情報および「松井秀樹」を示す情報とは、その氏名そのもののテキストデータや、その人物を示す画像情報や、ニュース等の情報記事が表示された領域であっても良い。
【００２２】
また、互いの関係を示す情報を指定するための識別情報として、第２の情報を表示する表示領域上で指定された情報種別を参照するものであっても良い。つまり、第２の情報として例示した、各選手の打率、本塁打数等の情報とは、第１の情報を開始位置として選択した場合に、第１の情報を、第２の情報を表示する表示領域上で指定されている情報種別とに対応付けられて記憶されている情報を抽出して表示するものであっても良い。また、直近に表示した情報の種別を識別情報として用いて、記憶部１４０に記憶された第１の情報と当該識別情報とに関連する情報を抽出して表示するものであっても良い。例えば、第２の情報を表示する表示領域上で、過去の直近のユーザ操作により表示していた情報の種別が、本年度の当該人物のニュース情報であれば、識別情報としてニュース情報等の時事情報が指定される。そして、当該人物に関連する時事情報や、記事情報を取得して表示する。直近のユーザ操作により、当該人物を第１の情報として指定されたと判断すると、当該人物と、成績情報とに関連付けられて記憶部１４０に保持されていた、今年の打率や本塁打数、出場試合数等を表示する。
【００２３】
このように、直近のユーザ操作によって指定された識別情報がなくとも、あらかじめ、第２の情報を表示する表示領域上で指定されている情報種別があれば、その種別に応じた情報を表示することができる。例えば、画像表示用のプログラムやアプリケーションプログラムが、当該表示領域上で実行中であれば、当該人物の画像情報を取得して表示する。
【００２４】
上述した処理を行うために、制御部１３０が、第１の情報に対応する第２の情報を記憶部１４０から取得する。そのため、記憶部１４０は、上述した第１の情報と第２の情報とを、あらかじめ対応付けて記憶するものとする。なお、ここで、第２の情報とは、記憶部１４０に保持された情報に限定せず、通信部１５０により、その第１の情報に対応する第２の情報を表示する表示領域上で指定された情報の種別に基づいた第２の情報を、ネットワークを介して取得するものであっても良い。ここでは、主として、第２の情報が記憶部１４０に保持されている場合として例示する。
【００２５】
図２は、図１に示した記憶部１４０に記憶されている第１の情報と第２の情報との対応付けの一例を示す図である。
【００２６】
図１に示した記憶部１４０には図２に示すように、第１の情報と第２の情報とが対応付けられて記憶されている。
【００２７】
例えば、図２に示すように、第１の情報「Ａ」と、第２の情報「Ａ’」とが対応付けられて記憶されている。これは、検知部１２０が検知した接触の開始の位置と終了の位置とが、異なる表示領域に含まれる場合であって、検知部１２０が接触の開始を検知した位置に対応する位置に表示されている情報が「Ａ」である場合、制御部１３０が、検知部１２０が接触の終了を検知した位置に対応する位置に表示させる情報は、「Ａ’」であることを示している。また、第１の情報「Ｂ」と、第２の情報「Ｂ’」とが対応付けられて記憶されている。これは、検知部１２０が検知した接触の開始の位置と終了の位置とが、異なる表示領域に含まれる場合であって、検知部１２０が接触の開始を検知した位置に対応する位置に表示されている情報が「Ｂ」である場合、制御部１３０が、検知部１２０が接触の終了を検知した位置に対応する位置に表示させる情報は、「Ｂ’」であることを示している。また、第１の情報「Ｃ」と、第２の情報「Ｃ’」とが対応付けられて記憶されている。これは、検知部１２０が検知した接触の開始の位置と終了の位置とが、異なる表示領域に含まれる場合であって、検知部１２０が接触の開始を検知した位置に対応する位置に表示されている情報が「Ｃ」である場合、制御部１３０が、検知部１２０が接触の終了を検知した位置に対応する位置に表示させる情報は、「Ｃ’」であることを示している。
【００２８】
なお、第１の方法および第２の情報は、以下で例を挙げて説明するが、テキストデータや、画像データ、地図データ等、表示領域１１０−１，１１０−２に表示できるデータであれば良い。
【００２９】
図３は、図１に示した表示装置１００の外観の第１の例を示す図である。
【００３０】
図１に示した表示装置１００は図３に示すように、２つの表示領域１１０−１，１１０−２が、物理的に１つのディプレイ上に配置されている。表示領域１１０−１と表示領域１１０−２との境界（図３中、破線で示したもの）は、表示装置１００を操作する操作者が認識することができれば良く、特に規定しない。例えば、携帯端末で電子メールの本文を入力する際にディスプレイに表示される、入力文章を表示する欄と変換候補を表示する欄とのようなものであっても良い。
【００３１】
図４は、図１に示した表示装置１００の外観の第２の例を示す図である。
【００３２】
図１に示した表示装置１００は図４に示すように、表示領域１１０−１と表示領域１１０−２とが、物理的に分離されて配置されている。このとき、表示領域１１０−１と表示領域１１０−２とは、同一の筺体に配置されているものであっても良いし、図４に示すように、ヒンジ等で接続された互いに異なる筐体２００−１，２００−２にそれぞれ配置されているものであっても良い。
【００３３】
以下に、図１に示した表示装置１００における表示方法について説明する。
【００３４】
図５は、図１に示した表示装置１００における表示方法を説明するためのフローチャートである。
【００３５】
まず、ステップ１にて、検知部１２０が、指等の接触体の表示領域への接触の開始を検知したかどうかを判別する。
【００３６】
検知部１２０が表示領域への接触の開始を検知した場合、ステップ２にて、その接触の開始を検知した位置に対応する位置に表示されている第１の情報を検索キーとして、制御部１３０が、当該第１の情報と関連する第２の情報を記憶部１４０に記憶されている対応付けから検索して読み出す。
【００３７】
その後、ステップ３にて、検知部１２０が、接触の終了を検知したかどうかを判別する。つまり、検知部１２０が、表示領域に接触していた指等の接触体が、表示領域から離れたかどうかを判別する。
【００３８】
検知部１２０が表示領域への接触の終了を検知した場合、ステップ４にて、その接触の終了を検知した位置が、その接触の開始を検知した位置が含まれる表示領域と異なる表示領域に含まれる位置であるかどうかを制御部１３０が判別する。
【００３９】
検知部１２０が接触の終了を検知した位置が、その接触の開始を検知した位置が含まれる表示領域と異なる表示領域に含まれる位置ではない場合、何もせずに、処理は終了する。
【００４０】
一方、検知部１２０が接触の終了を検知した位置が、その接触の開始を検知した位置が含まれる表示領域と異なる表示領域に含まれる位置である場合は、ステップ５にて、制御部１３０は、検知部１２０が接触の終了を検知した位置を終了位置、つまり、第２の情報を表示させる位置として決定する。
【００４１】
すると、ステップ６にて、制御部１３０は、決定した位置に対応する位置に第２の情報を表示させる。
【００４２】
図６は、図１に示した検知部１２０が表示領域１１０−１への接触の開始を検知したときの様子の一例を示す図である。なお、表示装置１００が図４に示すような外観を持つものである場合を例に挙げて説明する（以下、同じ）。
【００４３】
図６に示すように、表示領域１１０−１に東京スカイツリーの画像を含む記事が表示さている状態で、東京スカイツリーを表示している位置において、検知部１２０が接触の開始を検知すると、制御部１３０は、東京スカイツリーに関連する情報を記憶部１４０から検索する。
【００４４】
図７は、図１に示した検知部１２０が表示領域１１０−２にて接触の終了を検知したときの様子の一例を示す図である。
【００４５】
図７に示すように、表示装置１００を操作する操作者が、表示領域１１０−１に指を接触させたままで、その指を表示領域１１０−２まで滑らせて、表示領域１１０−２から離すと、検知部１２０が接触の終了を検知し、制御部１３０が、その接触の終了を検知した位置に、東京スカイツリーに関連する情報を表示させる。図７に示した例では、表示領域１１０−２に地図が表示され、検知部１２０が接触の終了を検知した位置が、東京スカイツリーの地図上の位置に当たるように表示される。そのため、操作者が表示領域１１０−２の下の方で接触していた指を表示領域１１０−２から離すと、検知部１２０が表示領域１１０−２の下の方で接触の終了を検知し、東京スカイツリーの地図上の位置が、表示領域１１０−２の下の方になるように地図が表示される。
【００４６】
また、表示装置１００がＧＰＳ（Ｇｌｏｂａｌ  Ｐｏｓｉｔｉｏｎｉｎｇ  Ｓｙｓｔｅｍ）機能等の表示装置１００の現在の位置情報を取得する機能を搭載しているものである場合、表示装置１００の位置と、東京スカイツリーの位置との位置関係を示す地図が、第２の情報として表示されるものであっても良い。このとき、表示装置１００の地図上の位置は、表示領域１１０−２において決められた位置に表示され、東京スカイツリーの地図上の位置は、検知部１２０が接触の終了を検知した位置に表示される。
【００４７】
なお、表示される地図は、一般的な地図であっても良いし、航空写真を用いた地図であっても良いし、ストリートビューを用いた表示であっても良い。
【００４８】
図８は、図１に示した表示領域１１０−１に２つの情報が表示されている様子の一例を示す図である。
【００４９】
図８に示すように、表示領域１１０−１に「東京ドーム」と「水道橋」とが表示されている。
【００５０】
図９は、図１に示した検知部１２０が表示領域１１０−１への２点の接触の開始を検知したときの様子の一例を示す図である。
【００５１】
図９に示すように、表示領域１１０−１に「東京ドーム」と「水道橋」とが表示さている状態で、「東京ドーム」を表示している位置と、「水道橋」を表示している位置とにおいて、検知部１２０が接触の開始を検知すると、制御部１３０は、「東京ドーム」と「水道橋」との互いの関係を示す情報を検索する。ここで、「東京ドーム」と「水道橋」との互いの関係を示す情報としては、例えば、東京ドームと水道橋駅との位置関係を示す地図や、東京ドームでプロ野球のナイトゲームの試合が行われた場合の水道橋駅の時間別混雑状況を示す情報等が考えられる。
【００５２】
図１０は、図１に示した検知部１２０が表示領域１１０−２にて２点の接触の終了を検知したときの様子の一例を示す図である。
【００５３】
図１０に示すように、表示装置１００を操作する操作者が、表示領域１１０−１の２点それぞれに２本の指を接触させたままで、その２本の指を表示領域１１０−２まで滑らせて、表示領域１１０−２から離すと、検知部１２０が２点の接触の終了を検知し、制御部１３０が、その接触の終了を検知した２点の位置に、互いの関係を示す情報を表示させる。
【００５４】
図１０では、制御部１３０が表示領域１１０−２に地図を表示させる場合を例に挙げて示しているが、検知部１２０が接触の開始を検知した２点に表示されたそれぞれの情報に関連する地図上のそれぞれの位置が、検知部１２０が接触の終了を検知した２点の位置にそれぞれなるように地図を表示させる。つまり、表示領域１１０−２には、東京ドームの地図上の位置が、検知部１２０が検知の終了を検知した１点の位置に、また、水道橋駅の地図上の位置が、検知部１２０が検知の終了を検知した他方の１点の位置に表示される。
【００５５】
このように表示させることで、操作者が指を表示領域１１０−２から離すときに、接触させている２本の指の間隔を広げた状態でその２本の指を表示領域１１０−２から離せば、
それは、開始位置である２点間の距離に対し、終了位置にある２点間の距離が拡大されたことを示す。この距離間拡大処理および開始位置間の距離に対する拡大率に応じて、制御部１３０は、縮尺を拡大した地図として表示領域１１０−２に表示させる。また、操作者が指を表示領域１１０−２から離すときに、接触させている２本の指の間隔を狭めた状態でその２本の指を表示領域１１０−２から離せば、縮尺の小さな地図が表示される。
【００５６】
図１１は、本発明の表示装置の第２の実施の形態を示す図である。
【００５７】
本形態における表示装置１０１には図１１に示すように、複数の表示領域１１０−１，１１０−２と、検知部１２０と、制御部１３１と、通信部１５０とが設けられている。なお、図１１には、表示装置１０１が具備する構成要素のうち、本発明に関わるもののみを示した。また、図１１において、表示領域が２つである場合を例に挙げて示しているが、３つ以上であっても良い。
【００５８】
表示領域１１０−１〜１１０−３は、図１に示したものと同じである。
【００５９】
検知部１２０は、図１に示したものと同じである。
【００６０】
制御部１３１は、第１の情報に関連する第２の情報を、第１の実施の形態のように記憶部１４０から検索して読み出すのではなく、通信部１５０を介して、表示装置１０１と接続された外部の所定のサーバから取得する。この取得では、第１の情報を検索キーとして、検索サイト等で第２の情報の検索を行い、検索された第２の情報が格納されているサーバからその関連情報を取得するものであっても良い。また、制御部１３１が具備するその他の機能については、図１に示した制御部１３０の機能と同じである。
【００６１】
通信部１５０は、表示装置１０１と接続された外部の所定のサーバとの間で通信を行う。この所定のサーバとは、一般的な通信ネットワークと接続されたサイトに配置されている通信装置であり、様々な情報が格納されているものである。また、通信部１５０が通信を行うサーバは、１つのサーバに限らず、情報に応じて、複数のサーバであっても良い。
【００６２】
以下に、図１１に示した表示装置１０１における表示方法について説明する。
【００６３】
図１２は、図１１に示した表示装置１０１における表示方法を説明するためのフローチャートである。
【００６４】
まず、ステップ１１にて、検知部１２０が、指等の接触体の表示領域への接触の開始を検知したかどうかを判別する。
【００６５】
検知部１２０が表示領域への接触の開始を検知した場合、ステップ１２にて、その接触の開始を検知した位置に対応する位置に表示されている第１の情報を検索キーとして、制御部１３１が、当該第１の情報と関連する第２の情報を通信部１５０を介して、外部のサーバ等から取得する。
【００６６】
その後、ステップ１３にて、検知部１２０が、接触の終了を検知したかどうかを判別する。つまり、検知部１２０が、表示領域に接触していた指等の接触体が、表示領域から離れたかどうかを判別する。
【００６７】
検知部１２０が表示領域への接触の終了を検知した場合、ステップ１４にて、その接触の終了を検知した位置が、その接触の開始を検知した位置が含まれる表示領域と異なる表示領域に含まれる位置であるかどうかを制御部１３１が判別する。
【００６８】
検知部１２０が接触の終了を検知した位置が、その接触の開始を検知した位置が含まれる表示領域と異なる表示領域に含まれる位置ではない場合、何もせずに、処理は終了する。
【００６９】
一方、検知部１２０が接触の終了を検知した位置が、その接触の開始を検知した位置が含まれる表示領域と異なる表示領域に含まれる位置である場合は、ステップ１５にて、制御部１３１は、検知部１２０が接触の終了を検知した位置を第２の情報を表示させる位置として決定する。
【００７０】
すると、ステップ１６にて、制御部１３１は、決定した位置に対応する位置に第２の情報を表示させる。
【００７１】
また、第２の情報を、第１の情報と、その接触動作の直前の操作による動作とに応じた情報とするものであっても良い。
【００７２】
例えば、表示装置１００が通信機能を持っており、通話や電子メール送受信を行った後、上述した接触操作を検出した場合、検知部１２０が接触の開始を検知した位置に対応する位置に表示されている第１の情報と、通話や電子メール送受信をしていた相手の情報との関連情報を第２の情報とするものであっても良い。具体的には、操作者が、Ａさんと電話をした後、所定の期間内に表示領域１１０−１に表示されている「野球」という第１の情報の表示位置を開始位置とし、検知部１２０がその接触の開始を検知して、操作者が表示領域１１０−２から指を離すことで、検知部１２０が接触の終了を検知した場合、制御部１３０は、「Ａさん」と「野球」というキーワードを共有して有する情報を検索して表示領域１１０−２へ出力する。すなわち、表示装置１００内に保持されている、Ａさんが高校時代に所属していた野球部の情報が抽出され、第２の情報として表示領域１１０−２の終了位置に対応する位置に表示されるものであっても良い。記憶部１４０に記憶されている情報として記載したが、Ａさんが保有または所持している情報であれば、サーバ上にある情報であっても良い。
【００７３】
このように、表示されている情報に関連する情報を、所望の位置に表示させたり、複数の情報の互いの関係を示す情報を容易に表示させたりことができる。
【００７４】
なお、表示装置１００，１０１は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機、電子書籍等の装置に適用することが可能である。
【００７５】
上述した表示装置１００，１０１に設けられた各構成要素が行う処理は、目的に応じてそれぞれ作製された論理回路で行うようにしても良い。また、処理内容を手順として記述したコンピュータプログラム（以下、プログラムと称する）を表示装置１００，１０１にて読取可能な記録媒体に記録し、この記録媒体に記録されたプログラムを表示装置１００，１０１に読み込ませ、実行するものであっても良い。表示装置１００，１０１にて読取可能な記録媒体とは、フロッピー（登録商標）ディスク、光磁気ディスク、ＤＶＤ、ＣＤなどの移設可能な記録媒体の他、表示装置１００，１０１に内蔵されたＲＯＭ、ＲＡＭ等のメモリやＨＤＤ等を指す。この記録媒体に記録されたプログラムは、表示装置１００，１０１に設けられた制御部１３０，１３１にて読み込まれ、制御部１３０，１３１の制御によって、上述したものと同様の処理が行われる。ここで、制御部１３０，１３１は、プログラムが記録された記録媒体から読み込まれたプログラムを実行するコンピュータとして動作するものである。
【００７６】
上記の実施の形態の一部または全部は、以下の付記のようにも記載されうるが、以下には限られない。
【００７７】
（付記１）互いに隣接する複数の表示領域と、
前記表示領域への接触を検知する検知部と、
前記検知部が検知した接触の開始の位置と終了の位置とが、互いに異なる表示領域に含まれる場合、前記検知部が接触の開始を検知した位置に対応する位置に表示されている第１の情報に関連する第２の情報を、前記検知部が前記接触の終了を検知した位置に対応する位置に表示させる制御部とを有する表示装置。
【００７８】
（付記２）付記１に記載の表示装置において、
前記制御部は、前記検知部が前記接触の終了を検知した表示領域に前記第２の情報として地図を表示させる際、前記第１の情報に関連する地図上の位置が、前記接触の終了を検知した位置に対応する位置になるように前記地図を表示させることを特徴とする表示装置。
【００７９】
（付記３）付記１に記載の表示装置において、
前記制御部は、前記検知部が検知した接触の開始の位置と終了の位置とが、それぞれ２点である場合、前記検知部が前記接触の開始を検知した２点に対応する位置に表示された情報の互いの関係を示す情報を、前記検知部が前記接触の終了を検知した位置に対応する位置に表示させることを特徴とする表示装置。
【００８０】
（付記４）付記３に記載の表示装置において、
前記制御部は、前記検知部が前記接触の終了を検知した表示領域に前記第２の情報として地図を表示させる際、前記検知部が前記接触の開始を検知した２点に対応する位置に表示されたそれぞれの情報に関連する地図上のそれぞれの表示位置が、前記検知部が前記接触の終了を検知した２点の位置に対応する位置になるように前記地図を表示させることを特徴とする表示装置。
【００８１】
（付記５）付記１に記載の表示装置において、
前記制御部は、前記第１の情報と直前の動作とに応じた前記第２の情報を表示させることを特徴とする表示装置。
【００８２】
（付記６）付記１から５のいずれか１項に記載の表示装置において、
前記第１の情報と、前記第２の情報とを対応付けて記憶する記憶部を有し、
前記制御部は、前記第１の情報に関連する情報として、該第１の情報と対応付けられて記憶されている第２の情報を前記記憶部から読み出して、前記第２の情報を表示させることを特徴とする表示装置。
【００８３】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００８４】
この出願は、２０１１年９月２６日に出願された日本出願特願２０１１−２０８９７５を基礎とする優先権を主張し、その開示の全てをここに取り込む。
【図１】
2013046935.tif 000003
【図２】
2013046935.tif 000004
【図３】
2013046935.tif 000005
【図４】
2013046935.tif 000006
【図５】
2013046935.tif 000007
【図６】
2013046935.tif 000008
【図７】
2013046935.tif 000009
【図８】
2013046935.tif 000010
【図９】
2013046935.tif 000011
【図１０】
2013046935.tif 000012
【図１１】
2013046935.tif 000013
【図１２】
2013046935.tif 000014
【国際調査報告】
2013046935.tif 000015
2013046935.tif 000016